(57)【要約】【課題】床板に取付けた支柱に水平方向への入力が加わっても、床板上における支柱の水平方向への変位を抑制することが可能な支柱取り付け構造を提供する。【解決手段】床基盤６と床板１との間に介装した床板高さ調節機構Ｈが、床基盤６に立設し且つ外周面にボルト側雄螺子２６を形成したボルト軸部２２と、ボルト軸部２２を挿通する筒状のボルト挿通部２８及び床板１の下面と当接する鍔部３０を有する床板支持部材１０を備え、ボルト挿通部２８は、ボルト側雄螺子２６と螺合する支持部材側雌螺子３４を内周面に形成したボルト挿通孔３２を有し、ボルト軸部２２へ着脱可能に連結する接合部材１２を床板１の上面に開口した開口部１８内に配置し、その接合部材１２に支柱２を着脱可能に取り付ける。【選択図】図２
2010203048.tif 000002
【特許請求の範囲】
【請求項１】
床基盤と床板との間に床板高さ調節機構を介装し、その床板高さ調節機構に連結する接合部材を前記床板の上面に開口した開口部内に配置し、その接合部材へ支柱を着脱可能に取り付ける支柱取り付け構造であって、
前記床板高さ調節機構は、前記床基盤に立設し且つ外周面に雄螺子を形成したボルト軸部と、そのボルト軸部に形成した雄螺子と螺合する雌螺子を内周面に形成した筒状のボルト挿通部、及びそのボルト挿通部から外周側に張り出して前記床板の下面と当接する鍔部を有する床板支持部材と、を備え、
前記接合部材を、前記ボルト軸部へ着脱可能に連結することを特徴とする支柱取り付け構造。
【請求項２】
前記接合部材は、下方に開口するボルト挿入孔と、上方に開口する支柱挿入孔と、を備え、
前記支柱は、下方へ突出する支柱側突出部を下端側に有し、
前記ボルト軸部に形成した雄螺子と前記ボルト挿通部に形成した雌螺子とを螺合させてボルト挿通部に挿通させたボルト軸部の上端側を前記ボルト挿入孔に挿入して、前記接合部材を前記ボルト軸部へ着脱可能に連結し、
前記支柱挿入孔に前記支柱側突出部を挿入して、前記接合部材に前記支柱を着脱可能に取り付けることを特徴とする請求項１に記載した支柱取り付け構造。
【請求項３】
前記支柱側突出部の外周面に雄螺子を形成し、
前記支柱挿入孔の内周面に、前記支柱側突出部に形成した雄螺子と螺合する雌螺子を形成し、
前記支柱側突出部に形成した雄螺子と前記支柱挿入孔に形成した雌螺子とを螺合させて、前記支柱挿入孔に前記支柱側突出部を挿入することを特徴とする請求項２に記載した支柱取り付け構造。
【請求項４】
前記接合部材は、下方に開口するボルト挿入孔と、上方に突出する接合部材側突出部と、を備え、
前記支柱は、下方に開口する支柱側開口孔を下端面に有し、
前記ボルト軸部に形成した雄螺子と前記ボルト挿通部に形成した雌螺子とを螺合させてボルト挿通部に挿通させたボルト軸部の上端側を前記ボルト挿入孔に挿入して、前記接合部材を前記ボルト軸部へ着脱可能に連結し、
前記接合部材側突出部に前記支柱側開口孔を嵌合させて、前記接合部材に前記支柱を着脱可能に取り付けることを特徴とする請求項１に記載した支柱取り付け構造。
【請求項５】
前記接合部材側突出部の外周面に雄螺子を形成し、
前記支柱側開口孔の内周面に、前記接合部材側突出部に形成した雄螺子と螺合する雌螺子を形成し、
前記接合部材側突出部に形成した雄螺子と前記支柱側開口孔に形成した雌螺子とを螺合させて、前記接合部材側突出部に前記支柱側開口孔を嵌合させることを特徴とする請求項４に記載した支柱取り付け構造。
【請求項６】
前記ボルト挿入孔の内周面に、前記ボルト軸部に形成した雄螺子と螺合する雌螺子を形成し、
前記ボルト軸部に形成した雄螺子と前記ボルト挿入孔に形成した雌螺子とを螺合させて、前記ボルト軸部の上端側を前記ボルト挿入孔に挿入することを特徴とする請求項２から５のうちいずれか１項に記載した支柱取り付け構造。
【請求項７】
前記ボルト挿入孔の内周面に、前記ボルト軸部に形成した雄螺子と螺合する雌螺子を形成し、
前記支柱側突出部の外周面に雄螺子を形成し、
前記支柱挿入孔の内周面に、前記支柱側突出部に形成した雄螺子と螺合する雌螺子を形成し、
前記ボルト挿入孔に形成した雌螺子及び前記支柱挿入孔に形成した雌螺子のうち一方を、右ねじとし、
前記ボルト挿入孔に形成した雌螺子及び前記支柱挿入孔に形成した雌螺子のうち他方を、左ねじとし、
前記ボルト軸部に形成した雄螺子と前記ボルト挿入孔に形成した雌螺子とを螺合させて、前記ボルト軸部の上端側を前記ボルト挿入孔に挿入し、
前記支柱側突出部に形成した雄螺子と前記支柱挿入孔に形成した雌螺子とを螺合させて、前記支柱挿入孔に前記支柱側突出部を挿入することを特徴とする請求項２に記載した支柱取り付け構造。
【発明の詳細な説明】
【技術分野】
【０００１】
本発明は、床板に、例えば、間仕切壁を支持するための支柱を取り付ける支柱取り付け構造に関する。
【背景技術】
【０００２】
従来から、間仕切壁を支持するための支柱を床板に取り付ける構造としては、例えば、特許文献１に記載されているような支柱取り付け構造がある。
特許文献１に記載されている支柱取り付け構造は、支柱の下端側を床板の上面に圧着固定して、支柱を床板に取り付けるものである。
このような構成の支柱取り付け構造であれば、間仕切壁の上端または下端を保持するレール部材等、間仕切壁の受具を床面に取り付ける必要が無いため、間仕切壁の施工が容易となる。これにより、専門業者による作業を要することなく、建物の居住者等によって間取りを変更することが可能となる。
【先行技術文献】
【特許文献】
【０００３】
【特許文献１】特開平９―２２８５２３号公報
【発明の概要】
【発明が解決しようとする課題】
【０００４】
しかしながら、特許文献１に記載されているような支柱取り付け構造では、支柱の下端側を床板の上面に圧着固定しているため、支柱へ水平方向の入力が加わった際に、支柱の下端が床板上で水平方向に変位するという問題が生じるおそれがある。これにより、支柱が床板に対して水平方向へ変位して、間仕切壁が変位するという問題が生じるおそれがある。
本発明は、上述したような問題点に着目してなされたもので、床板に取付けた支柱に水平方向への入力が加わった場合であっても、床板上における支柱の水平方向への変位を抑制することが可能な、支柱取り付け構造を提供することを課題とする。
【課題を解決するための手段】
【０００５】
前記課題を解決するために、本発明のうち、請求項１に記載した発明は、床基盤と床板との間に床板高さ調節機構を介装し、その床板高さ調節機構に連結する接合部材を前記床板の上面に開口した開口部内に配置し、その接合部材へ支柱を着脱可能に取り付ける支柱取り付け構造であって、
前記床板高さ調節機構は、前記床基盤に立設し且つ外周面に雄螺子を形成したボルト軸部と、そのボルト軸部に形成した雄螺子と螺合する雌螺子を内周面に形成した筒状のボルト挿通部、及びそのボルト挿通部から外周側に張り出して前記床板の下面と当接する鍔部を有する床板支持部材と、を備え、
前記接合部材を、前記ボルト軸部へ着脱可能に連結することを特徴とするものである。
【０００６】
本発明によると、床基盤に立設したボルト軸部に、床板の上面に開口した開口部内に配置した接合部材を着脱可能に連結する。これに加え、ボルト軸部に連結した接合部材に、支柱を着脱可能に取り付ける。
このため、床板の上面に開口した開口部内に配置した接合部材を介して、床基盤に立設したボルト軸部へ、支柱を着脱可能に取付けることが可能となる。
【０００７】
次に、請求項２に記載した発明は、請求項１に記載した発明であって、前記接合部材は、下方に開口するボルト挿入孔と、上方に開口する支柱挿入孔と、を備え、
前記支柱は、下方へ突出する支柱側突出部を下端側に有し、
前記ボルト軸部に形成した雄螺子と前記ボルト挿通部に形成した雌螺子とを螺合させてボルト挿通部に挿通させたボルト軸部の上端側を前記ボルト挿入孔に挿入して、前記接合部材を前記ボルト軸部へ着脱可能に連結し、
前記支柱挿入孔に前記支柱側突出部を挿入して、前記接合部材に前記支柱を着脱可能に取り付けることを特徴とするものである。
【０００８】
本発明によると、ボルト挿通部に挿通させたボルト軸部の上端側を、下方に開口するボルト挿入孔に挿入して、接合部材をボルト軸部へ着脱可能に連結する。これに加え、上方に開口する支柱挿入孔に支柱側突出部を挿入して、接合部材に支柱を着脱可能に取り付ける。
このため、床板上に支柱を取り付ける取付け作業において、床板や支柱等を加工することなく、床板上に支柱を取り付けることが可能となる。
【０００９】
次に、請求項３に記載した発明は、請求項２に記載した発明であって、前記支柱側突出部の外周面に雄螺子を形成し、
前記支柱挿入孔の内周面に、前記支柱側突出部に形成した雄螺子と螺合する雌螺子を形成し、
前記支柱側突出部に形成した雄螺子と前記支柱挿入孔に形成した雌螺子とを螺合させて、前記支柱挿入孔に前記支柱側突出部を挿入することを特徴とするものである。
【００１０】
本発明によると、支柱側突出部の外周面に形成した雄螺子と、支柱挿入孔の内周面に形成した雌螺子とを螺合させることにより、支柱挿入孔に支柱側突出部を挿入して、接合部材に支柱を着脱可能に取り付ける。
このため、支柱側突出部の外周面に雄螺子を形成せず、且つ支柱挿入孔の内周面に雌螺子を形成せずに、支柱挿入孔に支柱側突出部を挿入することにより、接合部材に支柱を取り付ける場合と比較して、支柱と接合部材との結合力を増加させることが可能となる。
【００１１】
次に、請求項４に記載した発明は、請求項１に記載した発明であって、前記接合部材は、下方に開口するボルト挿入孔と、上方に突出する接合部材側突出部と、を備え、
前記支柱は、下方に開口する支柱側開口孔を下端面に有し、
前記ボルト軸部に形成した雄螺子と前記ボルト挿通部に形成した雌螺子とを螺合させてボルト挿通部に挿通させたボルト軸部の上端側を前記ボルト挿入孔に挿入して、前記接合部材を前記ボルト軸部へ着脱可能に連結し、
前記接合部材側突出部に前記支柱側開口孔を嵌合させて、前記接合部材に前記支柱を着脱可能に取り付けることを特徴とするものである。
【００１２】
本発明によると、ボルト挿通部に挿通させたボルト軸部の上端側を、下方に開口するボルト挿入孔に挿入して、接合部材をボルト軸部へ着脱可能に連結する。これに加え、上方に突出する接合部材側突出部に支柱側開口孔を嵌合させて、接合部材に支柱を着脱可能に取り付ける。
このため、床板上に支柱を取り付ける取付け作業において、床板や支柱等を加工することなく、床板上に支柱を取り付けることが可能となる。
【００１３】
次に、請求項５に記載した発明は、請求項４に記載した発明であって、前記接合部材側突出部の外周面に雄螺子を形成し、
前記支柱側開口孔の内周面に、前記接合部材側突出部に形成した雄螺子と螺合する雌螺子を形成し、
前記接合部材側突出部に形成した雄螺子と前記支柱側開口孔に形成した雌螺子とを螺合させて、前記接合部材側突出部に前記支柱側開口孔を嵌合させることを特徴とするものである。
【００１４】
本発明によると、接合部材側突出部の外周面に形成した雄螺子と、支柱側開口孔の内周面に形成した雌螺子とを螺合させることにより、接合部材側突出部に支柱側開口孔を嵌合させて、接合部材に支柱を着脱可能に取り付ける。
このため、接合部材側突出部の外周面に雄螺子を形成せず、且つ支柱側開口孔の内周面に雌螺子を形成せずに、接合部材側突出部に支柱側開口孔を嵌合させることにより、接合部材に支柱を取り付ける場合と比較して、支柱と接合部材との結合力を増加させることが可能となる。
【００１５】
次に、請求項６に記載した発明は、請求項２から５のうちいずれか１項に記載した発明であって、前記ボルト挿入孔の内周面に、前記ボルト軸部に形成した雄螺子と螺合する雌螺子を形成し、
前記ボルト軸部に形成した雄螺子と前記ボルト挿入孔に形成した雌螺子とを螺合させて、前記ボルト軸部の上端側を前記ボルト挿入孔に挿入することを特徴とするものである。
【００１６】
本発明によると、ボルト軸部に形成した雄螺子とボルト挿入孔に形成した雌螺子とを螺合させることにより、ボルト軸部の上端側をボルト挿入孔に挿入して、接合部材をボルト軸部へ着脱可能に連結する。
このため、ボルト挿入孔の内周面に、ボルト軸部に形成した雄螺子と螺合する雌螺子を形成せず、ボルト挿入孔にボルト軸部の上端側を挿入することにより、接合部材をボルト軸部へ着脱可能に連結する場合と比較して、接合部材とボルト部材との結合力を増加させることが可能となる。
【００１７】
次に、請求項７に記載した発明は、請求項２に記載した発明であって、前記ボルト挿入孔の内周面に、前記ボルト軸部に形成した雄螺子と螺合する雌螺子を形成し、
前記支柱側突出部の外周面に雄螺子を形成し、
前記支柱挿入孔の内周面に、前記支柱側突出部に形成した雄螺子と螺合する雌螺子を形成し、
前記ボルト挿入孔に形成した雌螺子及び前記支柱挿入孔に形成した雌螺子のうち一方を、右ねじとし、
前記ボルト挿入孔に形成した雌螺子及び前記支柱挿入孔に形成した雌螺子のうち他方を、左ねじとし、
前記ボルト軸部に形成した雄螺子と前記ボルト挿入孔に形成した雌螺子とを螺合させて、前記ボルト軸部の上端側を前記ボルト挿入孔に挿入し、
前記支柱側突出部に形成した雄螺子と前記支柱挿入孔に形成した雌螺子とを螺合させて、前記支柱挿入孔に前記支柱側突出部を挿入することを特徴とするものである。
【００１８】
本発明によると、ボルト挿入孔に形成した雌螺子及び支柱挿入孔に形成した雌螺子のうち一方を右ねじとし、ボルト挿入孔に形成した雌螺子及び支柱挿入孔に形成した雌螺子のうち他方を左ねじとする。
このため、接合部材をボルト軸部へ着脱可能に連結するとともに、接合部材に支柱を着脱可能に取り付けた状態であっても、接合部材を周方向へ回転させることにより、ボルト軸部と支柱との距離を変化させることが可能となる。
【発明の効果】
【００１９】
本発明によれば、床板の上面に開口した開口部内に配置した接合部材を介して、床基盤に立設したボルト軸部に支柱を着脱可能に取付けることが可能となるため、床板に取付けた支柱に水平方向への入力が加わっても、床板上における支柱の水平方向への変位を抑制することが可能となる。
【図面の簡単な説明】
【００２０】
【図１】第一実施形態の支柱取り付け構造により床板に取付けた支柱と、この支柱により床板上に立設した間仕切壁とを示す側面図である。
【図２】図１中のＩＩ−ＩＩ線断面図である。
【図３】第一実施形態の支柱取り付け構造を用いて、支柱を床板に取り付ける作業工程の一部を示す図であり、開口部内に接合部材を配置するまでの作業工程を示す図である。
【図４】第一実施形態の支柱取り付け構造を用いて、支柱を床板に取り付ける作業工程の一部を示す図であり、開口部内に配置した接合部材に支柱を取付けるまでの作業工程を示す図である。
【図５】第一実施形態の変形例を示す図である。
【図６】第二実施形態の支柱取り付け構造の詳細な構成を示す図である。
【発明を実施するための形態】
【００２１】
（第一実施形態）
以下、本発明の第一実施形態（以下、「本実施形態」と記載する）について、図面を参照しつつ説明する。
（構成）
まず、図１及び図２を用いて、本実施形態の構成を説明する。
図１は、本実施形態の支柱取り付け構造により床板１に取付けた支柱２と、この支柱２により床板１上に立設した間仕切壁４とを示す側面図である。なお、図１中には、床板１、支柱２及び間仕切壁４の概略構成を示している。
図１中に示すように、床板１上に立設した間仕切壁４は、その両側面を、それぞれ、二本の支柱２に取付けている。すなわち、間仕切壁４は、二本の支柱２を用いて、床板１上に立設している。
【００２２】
床板１の下面と床基盤６との間（床下空間）には、ボルト部材８及び床板支持部材１０を備える床板高さ調節機構Ｈを介装している。ボルト部材８及び床板支持部材１０の構成については、後述する。
図２は、図１中のＩＩ−ＩＩ線断面図であり、本実施形態の支柱取り付け構造の、詳細な構成を示す図である。なお、図２中では、説明のために、間仕切壁４の図示を省略している。
【００２３】
図２中に示すように、本実施形態の支柱取り付け構造は、床基盤６と床板１との間に床板高さ調節機構Ｈを介装する。そして、床板高さ調節機構Ｈに連結する接合部材１２を、床板１の上面に開口した開口部１８内に配置し、その接合部材１２に支柱２を着脱可能に取り付ける構造である。
床板１は、合板等を用いて形成した根太材１４の上に、パーティクルボード等を用いて形成した仕上げ材１６を積層して構成されている。
また、床板１は、開口部１８と、貫通孔２０を有している。
開口部１８は、床板１の上面に形成されている。具体的には、根太材１４の仕上げ材１６と対向する面に形成した上方へ開口する凹部と、この凹部と同じ開口形状に形成した仕上げ材１６を貫通する貫通孔により形成されている。なお、開口部１８は、床板１の上面において、一定の間隔（例えば、４５５ｍｍ間隔）で、複数形成する。具体的には、複数の開口部１８を、格子状に配置する。
【００２４】
上下方向から見た開口部１８の形状、すなわち、開口部１８の床板１の上面における開口形状は、例えば、円形や方形等、支柱２の形状に対応する形状とする。
貫通孔２０は、開口部１８、具体的には開口部１８の底面を床板１の板厚方向に貫通する孔である。また、貫通孔２０の直径は、開口部１８の底面の面積よりも小さい。
ボルト部材８は、ボルト軸部２２と、ボルト側台座部２４を有している。
ボルト軸部２２は、上下方向（床板１の板厚方向）に延在する棒状部材であり、外周面に雄螺子が形成されている。なお、図中及び以降の説明では、ボルト軸部２２の外周面に形成した雄螺子を、「ボルト側雄螺子２６」と記載する。また、本実施形態では、ボルト側雄螺子２６を、右ねじとした場合について説明する。
【００２５】
ボルト側台座部２４は、水平方向に延在する板状の部材であり、床基盤６上に配置されている。
また、ボルト側台座部２４は、上面にボルト軸部２２を立設することにより、ボルト軸部２２を下方から支持する。すなわち、ボルト軸部２２は、ボルト側台座部２４を介して、床基盤６に立設している。なお、本実施形態では、ボルト側台座部２４の上面に、溶接等の手段を用いて、ボルト軸部２２を結合した場合を例に挙げて説明する。
床板支持部材１０は、ボルト挿通部２８と、鍔部３０を有する。
ボルト挿通部２８は、貫通孔２０の形状に対応させた円筒状の部材であり、ボルト挿通孔３２を有する。なお、貫通孔２０が方形である場合には、ボルト挿通部２８を、角型の筒状としてもよい。
【００２６】
ボルト挿通部２８の外周面は、全周に亘り、貫通孔２０の内周面と当接している。
ボルト挿通孔３２は、ボルト挿通部２８を上下方向（床板１の板厚方向）に貫通する孔であり、ボルト軸部２２を挿通可能な形状に形成されている。
また、ボルト挿通孔３２の内周面には、ボルト側雄螺子２６と螺合する雌螺子を形成している。なお、図中及び以降の説明では、ボルト挿通孔３２の内周面に形成した雌螺子を、「支持部材側雌螺子３４」と記載する。
ここで、上述したように、本実施形態では、ボルト側雄螺子２６を、右ねじの雄螺子としているため、このボルト側雄螺子２６と螺合する支持部材側雌螺子３４は、右ねじとする。
【００２７】
鍔部３０は、ボルト挿通部２８の外周面において、ボルト挿通部２８の下端に設けた円板状の部材であり、ボルト挿通部２８から外周側に張り出している。
また、鍔部３０の上面は、床板１の下面と対向して当接する。これにより、鍔部３０は、床板１を下方から支持している。
接合部材１２は、接合部材本体部３６と、接合部材側台座部３８を有する。
接合部材本体部３６は、円筒状の部材であり、ボルト挿入孔４０と、支柱挿入孔４２とを備えている。なお、本実施形態では、図２中に示すように、ボルト挿入孔４０及び支柱挿入孔４２を、接合部材本体部３６を床板１の板厚方向に貫通する、一つの貫通孔で形成した場合について説明する。
【００２８】
接合部材本体部３６の高さ（床板１の板厚方向に沿った長さ）は、根太材１４に形成した凹部の高さと同一として、接合部材１２が床板１の上面から突出しない構成としている。なお、接合部材本体部３６の高さは、これに限定するものではなく、例えば、開口部１８の深さと同一としてもよい。また、接合部材本体部３６の高さは、例えば、根太材１４に形成した凹部の高さ未満としてもよく、開口部１８の深さを超える高さとしてもよい。
ボルト挿入孔４０は、接合部材本体部３６の下方に開口する孔、すなわち、床板１側へ開口する孔であり、ボルト軸部２２を挿入可能な形状に形成されている。
ボルト挿入孔４０の内周面には、ボルト側雄螺子２６と螺合する雌螺子を形成している。なお、図中及び以降の説明では、ボルト挿入孔４０の内周面に形成した雌螺子を、「ボルト対応雌螺子４４」と記載する。
【００２９】
ここで、上述したように、本実施形態では、ボルト側雄螺子２６を、右ねじの雄螺子としているため、このボルト側雄螺子２６と螺合するボルト対応雌螺子４４は、右ねじとする。
支柱挿入孔４２は、接合部材本体部３６の上方に開口する孔、すなわち、支柱２側へ開口する孔である。
支柱挿入孔４２の内周面には、雌螺子を形成している。なお、図中及び以降の説明では、支柱挿入孔４２の内周面に形成した雌螺子を、「支柱対応雌螺子４６」と記載する。
接合部材側台座部３８は、接合部材本体部３６の外周面において、接合部材本体部３６の下端に設けた円板状の部材であり、接合部材本体部３６よりも水平方向に突出している。
【００３０】
また、接合部材側台座部３８の下面は、床板１の上面と対向して接触している。
支柱２は、上下方向（床板１の板厚方向）に延在する柱状部材であり、下方へ突出する支柱側突出部４８を有する。
支柱側突出部４８は、支柱２の下端側に形成されており、支柱挿入孔４２へ挿入可能な形状に形成されている。具体的には、支柱２の本体よりも断面積の小さい柱状に形成されている。
支柱側突出部４８の外周面には、上述した支柱対応雌螺子４６と螺合する雄螺子を形成している。すなわち、支柱挿入孔４２の内周面に形成した支柱対応雌螺子４６は、支柱側突出部４８に形成した雄螺子と螺合する雌螺子である。
【００３１】
なお、図中及び以降の説明では、支柱側突出部４８の外周面に形成した雄螺子を、「支柱側雄螺子５０」と記載する。また、本実施形態では、支柱側雄螺子５０を、左ねじとした場合について説明する。
ここで、上述したように、支柱挿入孔４２の内周面に形成した支柱対応雌螺子４６は、支柱側雄螺子５０と螺合する雌螺子であるため、この支柱側雄螺子５０と螺合する支柱対応雌螺子４６は、左ねじとする。
また、上述したように、本実施形態では、ボルト側雄螺子２６及びボルト対応雌螺子４４を右ねじとし、支柱側雄螺子５０及び支柱対応雌螺子４６を左ねじとする。これにより、ボルト側雄螺子２６及びボルト対応雌螺子４４のつる巻線の回転方向と、支柱側雄螺子５０及び支柱対応雌螺子４６のつる巻線の回転方向とを、反対方向とする。
【００３２】
（支柱取付け方法）
次に、図１及び図２を参照しつつ、図３及び図４を用いて、上記の構成を備えた支柱取り付け構造により支柱２を床板１に取り付ける、取付け方法について説明する。
図３は、本実施形態の支柱取り付け構造を用いて、支柱２を床板１に取り付ける作業工程の一部を示す図であり、開口部１８内に接合部材１２を配置するまでの作業工程を示す図である。なお、図３中では、説明のために、床板１、床基盤６、ボルト部材８、床板支持部材１０及び接合部材１２以外の図示を省略している。また、図３中には、接合部材１２をボルト軸部２２へ連結する際に、接合部材１２を移動させる方向を、下向きの矢印により示している。
【００３３】
支柱取り付け構造を用いて支柱２を取り付ける床板１は、以下の作業工程により、床基盤１０に対して施工する。
まず、ボルト部材８を、床基盤６上に設置して、ボルト軸部２２を床基盤６に立設する。具体的には、床基盤６上にボルト側台座部２４を配置した状態で、例えば、ボルト側台座部２４を貫通させたコンクリートネジ５２や接着剤（図示せず）を用い、床基盤６上にボルト側台座部２４を固定する。ここで、ボルト側台座部２４を配置する位置は、支柱２を設置する位置に応じて、予め設定する（図１及び図２参照）。なお、特に図示しないが、床基盤６とボルト側台座部２４との間に、金属板等の受材を介装してもよい。
【００３４】
ボルト部材８を床基盤６上に設置した後、ボルト側雄螺子２６と支持部材側雌螺子３４とを螺合させて、ボルト部材８に床板支持部材１０を取り付ける。ここで、鍔部３０が下方に配置されるように、ボルト部材８に床板支持部材１０を取り付ける。これに加え、ボルト軸部２２の上端側がボルト挿通孔３２から上方へ突出するように、ボルト部材８に床板支持部材１０を取り付ける。
このとき、ボルト側雄螺子２６と支持部材側雌螺子３４とを螺合させて、ボルト軸部２２に対する床板支持部材１０の位置を変化させることにより、鍔部３０とボルト側台座部２４との距離を、任意の距離に調節する。ここで、鍔部３０とボルト側台座部２４との距離は、後述するように、床板１の高さに応じて、任意の距離に調節する。
【００３５】
次に、ボルト部材８に取付けた床板支持部材１０により、床板１を下方から支持する。具体的には、ボルト挿通部２８の外周面を、全周に亘り、貫通孔２０の内周面と当接させた状態で、ボルト挿通部２８を貫通孔２０内に配置するとともに、鍔部３０の上面と床板１の下面とを対向させた状態で接触させる。
ここで、上述したように、鍔部３０とボルト側台座部２４との距離は、予め、任意の距離に調節している。このため、ボルト部材８に取付けた床板支持部材１０により、床板１を下方から支持すると、床基盤６と床板１との距離は、床板１の高さに応じた任意の距離となる。
上記のように、ボルト挿通部２８を貫通孔２０内に配置するとともに、鍔部３０の上面と床板１の下面とを対向させた状態で接触させ、床板支持部材１０により、床板１を下方から支持し、床基盤６に対する床板１の施工を終了する。
【００３６】
床基盤６に対する床板１の施工を終了した後、接合部材１２を開口部１８内へ配置する。なお、接合部材１２を開口部１８内へ配置する作業は、建物の間取りを変更する時点等、支柱２の施工に応じた時点で行う。
このとき、接合部材側台座部３８が下方に配置されるように、接合部材１２を開口部１８内へ配置する。具体的には、貫通孔２０とボルト挿入孔４０が連通するように、接合部材１２を開口部１８内へ配置する。
また、接合部材１２を開口部１８内へ配置するとともに、ボルト挿入孔４０に、ボルト挿通孔３２に挿通させたボルト軸部２２の上端側を下方から挿入して、接合部材１２をボルト軸部２２へ着脱可能に連結する。
【００３７】
このとき、ボルト側雄螺子２６とボルト対応雌螺子４４とを螺合させて、ボルト軸部２２の上端側をボルト挿入孔４０に挿入することにより、接合部材１２をボルト軸部２２へ着脱可能に連結する。
図４は、本実施形態の支柱取り付け構造を用いて、支柱２を床板１に取り付ける作業工程の一部を示す図であり、開口部１８内に配置した接合部材１２に支柱２を取付けるまでの作業工程を示す図である。この作業工程は、上述した、図３を用いて説明した作業工程の後工程である。なお、図４中では、説明のために、床板１、床基盤６、ボルト部材８、床板支持部材１０、接合部材１２及び支柱２以外の図示を省略している。また、図４中には、支柱２を接合部材１２に取付ける際に、支柱２を移動させる方向を、下向きの矢印により示している。
【００３８】
接合部材１２をボルト軸部２２へ着脱可能に連結した後、支柱挿入孔４２に支柱側突出部４８を上方から挿入して、開口部１８内に配置した接合部材１２に、支柱２を着脱可能に取り付ける（図２参照）。
このとき、支柱側雄螺子５０と支柱対応雌螺子４６とを螺合させて、支柱挿入孔４２に支柱側突出部４８を挿入することにより、接合部材１２に支柱２を着脱可能に取り付ける。これにより、床板１に支柱２を着脱可能に取り付ける作業を終了する（図１及び図２参照）。
【００３９】
なお、特に図示しないが、上述した取り付け作業において、支柱２の上部は、例えば、天井面に設けた開口部に、支柱２の上端側に予め設けた突出部を挿入して、天井面に取り付ける。ここで、天井面に設けた開口部は、予め、床板１の上面に形成した開口部１８と上下方向で対向する位置に形成する。すなわち、天井面に設けた複数の開口部は、床板１の上面に形成した各開口部１８と同様、天井面に一定間隔（４５５ｍｍ間隔）で形成する。
【００４０】
（第一実施形態の効果）
以下、本実施形態の効果を列挙する。
（１）本実施形態の支柱取り付け構造であれば、床基盤６に立設したボルト軸部２２に、床板１の上面に開口した開口部１８内に配置した接合部材１２を着脱可能に連結する。これに加え、ボルト軸部２２に連結した接合部材１２に、支柱２を着脱可能に取り付ける。
このため、床板１の上面に開口した開口部１８内に配置した接合部材１２を介して、床基盤６に立設したボルト軸部２２に、支柱２を取付けることが可能となる。
その結果、床板１に取付けた支柱２に水平方向への入力が加わっても、床板１上における支柱２の水平方向への変位を抑制することが可能となる。これにより、支柱２が支持する間仕切壁４の変位を抑制することが可能となる。
【００４１】
また、床板１の高さを任意の距離に調節する床板高さ調節機構Ｈを形成するボルト軸部２２に、接合部材１２を連結し、この接合部材１２を介して、床板１に支柱２を取付けることが可能となる。
このため、床板高さ調節機構Ｈに接合部材１２を追加することにより、床板１に取付けた支柱２に水平方向への入力が加わっても、床板１上における支柱２の水平方向への変位を抑制することが可能となる。
その結果、部品点数の増加を抑制することが可能となるとともに、床板１上における支柱２の水平方向への変位を抑制することが可能となるため、部品コスト等の増加を抑制することが可能となる。
【００４２】
（２）本実施形態の支柱取り付け構造であれば、ボルト挿通孔３２に挿通させたボルト軸部２２の上端側を、下方に開口するボルト挿入孔４０に挿入して、接合部材１２をボルト軸部２２へ着脱可能に連結する。これに加え、上方に開口する支柱挿入孔４２に支柱側突出部４８を挿入して、接合部材１２に支柱２を着脱可能に取り付ける。
このため、床板１上に支柱２を着脱可能に取り付ける取付け作業において、床板１や支柱２等を加工することなく、床板１上に支柱２を着脱可能に取り付けることが可能となり、専門業者による作業を必要とせずに、建物内において、支柱２を任意の開口部１８の位置に配置することが可能となる。
【００４３】
その結果、建物内における間仕切壁４等の施工を、居住者等により容易に行うことが可能となる。
また、間仕切壁４や支柱２を加工または破壊することなく、さらに、床板１の加工等を必要とせずに、床板１に対する支柱２の取り付けまたは取り外し作業や、間仕切壁４の施工作業を行うことが可能となる。
その結果、床板１に対する支柱２の取り付けまたは取り外し作業や、間仕切壁４の施工作業に関する、材料コストや作業コスト等を低減することが可能となる。また、床板１に対する支柱２の取り付けまたは取り外し作業や、間仕切壁４の施工作業における、騒音や振動の発生を抑制することが可能となるため、近隣の住宅等、周辺への影響を低減することが可能となる。
【００４４】
（３）本実施形態の支柱取り付け構造であれば、支柱側突出部４８の外周面に、支柱側雄螺子５０を形成し、支柱挿入孔４２の内周面に、支柱側雄螺子５０と螺合する支柱対応雌螺子４６を形成する。そして、支柱側雄螺子５０と支柱対応雌螺子４６とを螺合させることにより、支柱挿入孔４２に支柱側突出部４８を挿入して、接合部材１２に支柱２を着脱可能に取り付ける。
このため、支柱側突出部４８に支柱側雄螺子５０を形成せず、且つ支柱挿入孔４２に支柱対応雌螺子４６を形成せずに、支柱挿入孔４２に支柱側突出部４８を挿入することにより、支柱２を接合部材１２に取り付ける場合と比較して、支柱２と接合部材１２との結合力を増加させることが可能となる。
その結果、接合部材１２と支柱２との間に発生する相対変位を抑制することが可能となるため、接合部材１２に対する支柱２の取り付け強度を増加させることが可能となる。これにより、床板１に対する支柱２の取り付け強度を増加させることが可能となる。
【００４５】
（４）本実施形態の支柱取り付け構造であれば、ボルト挿入孔４０の内周面に、ボルト側雄螺子２６と螺合するボルト対応雌螺子４４を形成する。そして、ボルト側雄螺子２６とボルト対応雌螺子４４とを螺合させることにより、ボルト軸部２２の上端側をボルト挿入孔４０に挿入して、接合部材１２をボルト軸部２２へ着脱可能に連結する。
このため、ボルト挿入孔４０の内周面にボルト対応雌螺子４４を形成せず、ボルト挿入孔４０にボルト軸部２２の上端側を挿入することにより、接合部材１２をボルト軸部２２へ着脱可能に連結する場合と比較して、接合部材１２とボルト軸部２２との結合力を増加させることが可能となる。
その結果、接合部材１２とボルト軸部２２との間に発生する相対変位を抑制することが可能となるため、ボルト軸部２２に対する接合部材１２の取り付け強度を増加させることが可能となる。これにより、床板１に対する支柱２の取り付け強度を増加させることが可能となる。
【００４６】
（５）本実施形態の支柱取り付け構造であれば、ボルト側雄螺子２６及びボルト対応雌螺子４４を右ねじとし、支柱側雄螺子５０及び支柱対応雌螺子４６を左ねじとする。
このため、ボルト軸部２２に接合部材１２を連結するとともに、接合部材１２に支柱２を着脱可能に取り付けた状態であっても、接合部材１２を周方向へ回転させることにより、ボルト軸部２２と支柱２との距離を変化させることが可能となる。
その結果、例えば、床板１に二本の支柱２を着脱可能に取り付け、これらの支柱２に手摺り等、水平方向に延在する棒状部材の両端を取付けた場合に、ボルト軸部２２と支柱２との距離を変化させて、棒状部材の傾斜度合いを調節することが可能となる。
【００４７】
（６）本実施形態の支柱取り付け構造であれば、ボルト挿通部２８の外周面を、全周に亘り、貫通孔２０の内周面と当接させている。
このため、床基盤６に立設したボルト軸部２２と床板１との、支柱２の水平方向への相対変位を抑制することが可能となる。
その結果、床板１に取付けた支柱２に水平方向への入力が加わっても、床板１上における支柱２の水平方向への変位を抑制することが可能となる。これにより、支柱２が支持する間仕切壁４の変位を抑制することが可能となる。
【００４８】
（応用例）
以下、本実施形態の応用例を列挙する。
（１）本実施形態の支柱取り付け構造では、ボルト挿入孔４０の内周面にボルト対応雌螺子４４を形成し、ボルト側雄螺子２６とボルト対応雌螺子４４とを螺合させることにより、ボルト軸部２２の上端側をボルト挿入孔４０に挿入して、接合部材１２をボルト軸部２２に連結したが、これに限定するものではない。すなわち、ボルト挿入孔４０の内周面にボルト対応雌螺子４４を形成せず、ボルト挿入孔４０にボルト軸部２２の上端側を挿入して、接合部材１２をボルト部材８に連結してもよい。
【００４９】
（２）本実施形態の支柱取り付け構造では、支柱側突出部４８の外周面に支柱側雄螺子５０を形成し、支柱挿入孔４２の内周面に支柱対応雌螺子４６を形成する。そして、支柱側雄螺子５０と支柱対応雌螺子４６とを螺合させることにより、支柱挿入孔４２に支柱側突出部４８を挿入して、支柱２を接合部材１２に取付けたが、これに限定するものではない。すなわち、支柱側突出部４８の外周面に支柱側雄螺子５０を形成せず、且つ支柱挿入孔４２の内周面に支柱対応雌螺子４６を形成せずに、支柱挿入孔４２に支柱側突出部４８を挿入して、支柱２を接合部材１２に取り付けてもよい。
【００５０】
（３）本実施形態の支柱取り付け構造では、ボルト側雄螺子２６及びボルト対応雌螺子４４を右ねじとし、支柱側雄螺子５０及び支柱対応雌螺子４６を左ねじとしたが、これに限定するものではない。すなわち、ボルト側雄螺子２６及びボルト対応雌螺子４４を左ねじとし、支柱側雄螺子５０及び支柱対応雌螺子４６を右ねじとしてもよい。要は、ボルト対応雌螺子４４及び支柱対応雌螺子４６のうち一方を右ねじとし、ボルト対応雌螺子４４及び支柱対応雌螺子４６のうち他方を左ねじとすればよい。
【００５１】
（４）本実施形態の支柱取り付け構造では、ボルト側雄螺子２６及びボルト対応雌螺子４４のつる巻線の回転方向と、支柱側雄螺子５０及び支柱対応雌螺子４６のつる巻線の回転方向とを、反対方向としたが、これに限定するものではない。すなわち、ボルト側雄螺子２６及びボルト対応雌螺子４４のつる巻線の回転方向と、支柱側雄螺子５０及び支柱対応雌螺子４６のつる巻線の回転方向とを、同一方向としてもよい。
この場合、接合部材１２を開口部１８内へ配置するとともに、ボルト挿通孔３２に挿通したボルト軸部２２をボルト挿入孔４０に挿入した後に、例えば、接合部材１２が有する接合部材側台座部３８を、接合部材側台座部３８を貫通させたネジ等を用いて、床板１に接合部材側台座部３８を固定してもよい。
【００５２】
（５）本実施形態の支柱取り付け構造では、ボルト側台座部２４の上面に、溶接等の手段を用いて、ボルト軸部２２を結合したが、これに限定するものではない。すなわち、例えば、図５中に示すように、ボルト側台座部２４をゴム等の弾性材料を用いて形成し、ボルト側台座部２４の上方から、ボルト軸部２２の下端側をボルト側台座部２４内に圧入することにより、ボルト側台座部２４に対し、ボルト軸部２２を回転可能に結合してもよい。なお、図５は、本実施形態の変形例を示す図である。
【００５３】
この場合、例えば、ボルト軸部２２の上面に、ドライバー等の工具を嵌合させることが可能な嵌合溝５４を形成する。これにより、鍔部３０の上面と床板１の下面とを対向させた状態で接触させて、ボルト部材８に取付けた床板支持部材１０により床板１を下方から支持した状態で、上記の工具を用いてボルト軸部２２を回転させることにより、ボルト軸部２２に対する床板支持部材１０の位置を変化させて、鍔部３０とボルト側台座部２４との距離を、任意の距離に調節することが可能となる。なお、嵌合溝５４は、工具の形状に対応させて、例えば、上面視でマイナス形状またはプラス形状の溝とする。
【００５４】
（６）本実施形態の支柱取り付け構造では、床板１を、根太材１４の上に仕上げ材１６を積層して構成したが、これに限定するものではなく、床板１を、例えば、一枚の板材によって構成してもよい。
（７）本実施形態の支柱取り付け構造では、床板支持部材１０が有するボルト挿通部２８を、円筒状の部材としたが、これに限定するものではなく、ボルト挿通部２８を、例えば、円板状の部材としてもよい。この場合、ボルト挿通部２８の厚さと鍔部３０の厚さを同一とし、床板支持部材１０全体を、一枚の円板状に形成してもよい。
（８）本実施形態の支柱取り付け構造では、接合部材１２の構成を、接合部材側台座部３８を有する構成としたが、これに限定するものではなく、接合部材１２の構成を、接合部材側台座部３８を有していない構成としてもよい。
【００５５】
（９）本実施形態の支柱取り付け構造では、床板１が、貫通孔２０を有している構成としたが、これに限定するものではなく、床板１が、貫通孔２０を有していない構成としてもより。この場合、開口部１８を、床板１を上下方向（床板１の板厚方向）に貫通する貫通孔とする。
（１０）本実施形態の支柱取り付け構造では、ボルト部材８の構成を、ボルト軸部２２と、ボルト側台座部２４を有している構成としたが、これに限定するものではない。すなわち、ボルト部材８の構成を、ボルト側台座部２４を有していない構成としてもよい。この場合、例えば、ボルト軸部２２の下端部を床基盤６に埋設する等の方法を用いて、ボルト軸部２２を、直接、床基盤６に立設する。
【００５６】
（１１）本実施形態の支柱取り付け構造では、ボルト挿入孔４０及び支柱挿入孔４２を、接合部材本体部３６を床板１の板厚方向に貫通する一つの孔で形成したが、これに限定するものではない。すなわち、ボルト挿入孔４０と支柱挿入孔４２を、互いに連通していない個別の開口部としてもよい。この場合、例えば、ボルト軸部２２が円柱状であり、支柱側突出部４８が角柱状である場合等、ボルト軸部２２の断面形状と支柱側突出部４８の断面形状が異なる場合に、ボルト挿入孔４０及び支柱挿入孔４２の断面形状を対応させることが容易となる。
【００５７】
（第二実施形態）
次に、本発明の第二実施形態（以下、「本実施形態」と記載する）について、図面を参照しつつ説明する。
（構成）
まず、図１及び図２を参照しつつ、図６を用いて、本実施形態の構成を説明する。なお、上述した第一実施形態のものと同様の構成については、詳細な説明を省略する。
図６は、本実施形態の支柱取り付け構造の、詳細な構成を示す図である。
図６中に示すように、本実施形態の支柱取り付け構造は、接合部材１２及び支柱２の構成を除き、上述した第一実施形態のものと同様の構成を有する。
【００５８】
接合部材１２は、接合部材本体部３６と、接合部材側台座部３８を有する。
接合部材本体部３６は、円柱状の部材であり、ボルト挿入孔４０と、接合部材側突出部５６とを備えている。
ボルト挿入孔４０の構成は、上述した第一実施形態のものと同様であるため、その説明を省略する。
接合部材側突出部５６は、上方に突出する突出部、すなわち、支柱２側に突出する突出部である。
接合部材側突出部５６の外周面には、雄螺子を形成している。なお、図中及び以降の説明では、接合部材側突出部５６の外周面に形成した雄螺子を、「接合部材側雄螺子５８」と記載する。また、本実施形態では、接合部材側雄螺子５８を、右ねじとした場合について説明する。
【００５９】
接合部材側台座部３８の構成は、上述した第一実施形態のものと同様であるため、その説明を省略する。
支柱２は、支柱側開口孔６０を下端面に有する。
支柱側開口孔６０は、下方に開口する孔、すなわち、床板１側に開口する孔であり、支柱２の下端面に形成されている。
また、支柱側開口孔６０は、接合部材側突出部５６を嵌合可能な形状に形成されている。
【００６０】
支柱側開口孔６０の内周面には、上述した接合部材側雄螺子５８と螺合する雌螺子を形成している。なお、図中及び以降の説明では、支柱側開口孔６０の内周面に形成した雌螺子を、「支柱側雌螺子６２」と記載する。
ここで、上述したように、支柱側開口孔６０の内周面に形成した支柱側雌螺子６２は、接合部材側雄螺子５８と螺合する雌螺子であるため、この接合部材側雄螺子５８と螺合する支柱側雌螺子６２は、右ねじとする。
その他の構成は、上述した第一実施形態と同様である。
【００６１】
（支柱取付け方法）
次に、図１、図３及び図６を参照しつつ、上記の構成を備えた支柱取り付け構造により支柱２を床板１に取り付ける、取付け方法について説明する。なお、以下の説明では、上述した第一実施形態と異なる点を中心に記載する。
本実施形態の支柱取り付け構造を用いて、支柱２を床板１に取り付ける際には、床基盤６に対する床板１の施工を終了した後、接合部材１２を開口部１８内へ配置する。これに加え、ボルト挿入孔４０に、ボルト挿通孔３２に挿通させたボルト軸部２２の上端側を下方から挿入して、接合部材１２をボルト軸部２２へ着脱可能に連結する（図３参照）。
【００６２】
なお、床基盤６に対して床板１を施工するまでの作業工程は、上述した第一実施形態と同様の作業工程（図１及び図３参照）であるため、説明を省略する。
接合部材１２をボルト軸部２２へ着脱可能に連結した後、接合部材側突出部５６に支柱側開口孔６０を嵌合させて、開口部１８内に配置した接合部材１２に、支柱２を着脱可能に取り付ける（図６参照）。
このとき、接合部材側雄螺子５８と支柱側雌螺子６２とを螺合させて、接合部材側突出部５６に支柱側開口孔６０を嵌合させることにより、接合部材１２に支柱２を着脱可能に取り付ける。これにより、床板１に支柱２を着脱可能に取り付ける作業を終了する（図１及び図６参照）。
その他の作業工程は、上述した第一実施形態と同様である。
【００６３】
（第二実施形態の効果）
以下、本実施形態の効果を列挙する。
（１）本実施形態の支柱取り付け構造では、ボルト挿通孔３２に挿通させたボルト軸部２２の上端側を、下方に開口するボルト挿入孔４０に挿入して、接合部材１２をボルト軸部２２へ着脱可能に連結する。これに加え、上方に突出する接合部材側突出部５６に支柱側開口孔６０を嵌合させて、接合部材１２に支柱２を着脱可能に取り付ける。
このため、専門業者による作業を必要とせずに、建物内において、支柱２を任意の開口部１８の位置に配置することが可能となる。また、間仕切壁４や支柱２を加工または破壊することなく、さらに、床板１の加工等を必要とせずに、床板１に対する支柱２の取り付けまたは取り外し作業や、間仕切壁４の施工作業を行うことが可能となる。
【００６４】
その結果、建物内における間仕切壁４等の施工を、居住者等により容易に行うことが可能となる。また、床板１に対する支柱２の取り付けまたは取り外し作業や、間仕切壁４の施工作業に関する、材料コストや作業コスト等を低減することが可能となる。さらに、騒音や振動の発生を抑制することが可能となる。
（２）本実施形態の支柱取り付け構造では、接合部材側突出部５６の外周面に、接合部材側雄螺子５８を形成し、支柱側開口孔６０の内周面に、接合部材側雄螺子５８と螺合する支柱側雌螺子６２を形成する。そして、接合部材側雄螺子５８と支柱側雌螺子６２とを螺合させることにより、接合部材側突出部５６に支柱側開口孔６０を嵌合させて、接合部材１２に支柱２を着脱可能に取り付ける。
【００６５】
このため、接合部材側突出部５６に接合部材側雄螺子５８を形成せず、且つ支柱側開口孔６０に支柱側雌螺子６２を形成せずに、接合部材側突出部５６に支柱側開口孔６０を嵌合させることにより、接合部材１２に支柱２を着脱可能に取り付ける場合と比較して、支柱２と接合部材１２との結合力を増加させることが可能となる。
その結果、接合部材１２と支柱２との間に発生する相対変位を抑制することが可能となるため、接合部材１２に対する支柱２の取り付け強度を増加させることが可能となる。これにより、床板１に対する支柱２の取り付け強度を増加させることが可能となる。
【００６６】
（応用例）
以下、本実施形態の応用例を記載する。
（１）本実施形態の支柱取り付け構造では、接合部材側突出部５６の外周面に接合部材側雄螺子５８を形成し、支柱側開口孔６０の内周面に支柱側雌螺子６２を形成する。そして、接合部材側雄螺子５８と支柱側雌螺子６２とを螺合させることにより、接合部材側突出部５６に支柱側開口孔６０を嵌合させて、支柱２を接合部材１２に取付けたが、これに限定するものではない。すなわち、接合部材側突出部５６の外周面に接合部材側雄螺子５８を形成せず、且つ支柱側開口孔６０の内周面に支柱側雌螺子６２を形成せずに、接合部材側突出部５６に支柱側開口孔６０を嵌合させて、支柱２を接合部材１２に取り付けてもよい。
【符号の説明】
【００６７】
１    床板
２    支柱
４    間仕切壁
６    床基盤
８    ボルト部材
１０  床板支持部材
１２  接合部材
１４  根太材
１６  仕上げ材
１８  開口部
２０  貫通孔
２２  ボルト軸部
２４  ボルト側台座部
２６  ボルト側雄螺子
２８  ボルト挿通部
３０  鍔部
３２  ボルト挿通孔
３４  支持部材側雌螺子
３６  接合部材本体部
３８  接合部材側台座部
４０  ボルト挿入孔
４２  支柱挿入孔
４４  ボルト対応雌螺子
４６  支柱対応雌螺子
４８  支柱側突出部
５０  支柱側雄螺子
５２  コンクリートネジ
５４  嵌合溝
５６  接合部材側突出部
５８  接合部材側雄螺子
６０  支柱側開口孔
６２  支柱側雌螺子
Ｈ    床板高さ調節機構
【図１】
2010203048.tif 000003
【図２】
2010203048.tif 000004
【図３】
2010203048.tif 000005
【図４】
2010203048.tif 000006
【図５】
2010203048.tif 000007
【図６】
2010203048.tif 000008